(57)【要約】【課題】  施工を容易に行うことができる床材を提供する。【解決手段】  床材２は、位置決め部材３と根太部材４と床板５とを備える。位置決め部材３は、長尺であって、基礎床面１に載置される。根太部材４は、長尺であって、位置決め部材３に直交して固定される。床板５は、根太部材４、４に掛け渡される。ここにおいて、位置決め部材３は、根太部材４、４を所定のピッチで配置するための根太固定部３ａ、３ａを備える。この根太固定部３ａ、３ａは、位置決め部材３の長手方向に前記ピッチの間隔で並び、この根太固定部３ａ、３ａに、根太部材４、４が前記間隔の位置に位置決められて固定される。【選択図】  図１
2009287288.tif 000002
【特許請求の範囲】
【請求項１】
基礎床面に載置される長尺の位置決め部材と、その位置決め部材に直交して固定される長尺の根太部材と、その根太部材に支持される床板とを備える床材であって、
前記位置決め部材は、前記根太部材を所定のピッチで配置すべく、長手方向に前記ピッチの間隔で並び前記根太部材が前記間隔の位置に位置決められて固定される根太固定部を備えることを特徴とする床材。
【請求項２】
前記位置決め部材は、前記基礎床面に固定される固定部を備えることを特徴とする、請求項１に記載の床材。
【請求項３】
前記固定部は、隣合う前記根太固定部の間に設けられることを特徴とする、請求項２に記載の床材。
【請求項４】
前記位置決め部材は、その位置決め部材を長手方向に順次連結するための連結部を備えることを特徴とする、請求項１ないし３のいずれか１項に記載の床材。
【請求項５】
前記位置決め部材および前記根太部材は、それぞれ長手方向において上下の向きに撓む可撓性を有することを特徴とする、請求項１ないし４のいずれか１項に記載の床材。
【請求項６】
前記基礎床面と、前記根太固定部および前記根太部材との間には、前記基礎床面へ接着するための接着用テープを貼付け可能な隙間が設けられることを特徴とする、請求項１ないし５のいずれか１項に記載の床材。
【請求項７】
前記位置決め部材と前記根太部材と前記床板とに加えて、前記基礎床面に載置される第２の位置決め部材と、その第２の位置決め部材に固定される長尺の第２の根太部材と、その第２の根太部材に支持される第２の床板とを備え、
前記第２の位置決め部材は、前記根太部材の端部が固定される第１根太固定部と、前記第２の根太部材が前記根太部材に対して直角となるように位置決められて固定される第２根太固定部とを備えることを特徴とする、請求項１ないし６のいずれか１項に記載の床材。
【発明の詳細な説明】
【技術分野】
【０００１】
この発明は、床板が根太部材に支持されてなる床材において、特に、根太部材の位置決めに関するものである。
【背景技術】
【０００２】
従来、基礎床面に、床板を支持する根太部材を配置するにあたって、根太部材が載る支持脚が用いられた（例えば、特許文献１参照）。ここで、床の施工にあたっては、根太部材が所定のピッチで並ぶように、基礎床面に罫書き線を描き、その罫書き線に合わせて支持脚を載置し、その支持脚に根太部材を載せ、そして根太部材に床板を掛け渡していた。
【０００３】
【特許文献１】特開平８−１５１７７５号公報
【発明の開示】
【発明が解決しようとする課題】
【０００４】
ところで、前記床の施工にあたっては、根太部材を所定のピッチで配置するために基礎床面に正確な罫書き線を描く必要があり、その施工が面倒であった。
【０００５】
この発明は、上記した従来の欠点を解決するためになされたものであり、その目的とするところは、施工を容易に行うことができる床材を提供することにある。
【課題を解決するための手段】
【０００６】
この発明に係る床材は、前記目的を達成するために、次の構成からなる。すなわち、
請求項１に記載の発明に係る床材は、基礎床面に載置される長尺の位置決め部材と、その位置決め部材に直交して固定される長尺の根太部材と、その根太部材に支持される床板とを備える。ここで、前記位置決め部材は、前記根太部材を所定のピッチで配置すべく、長手方向に前記ピッチの間隔で並び前記根太部材が前記間隔の位置に位置決められて固定される根太固定部を備える。
【０００７】
この床材によると、基礎床面に載置される位置決め部材が、根太部材が配置されるピッチの間隔で並ぶ根太固定部を備えており、根太部材は、この根太固定部に位置決めされることで、自ずと所定のピッチで配置される。そして、根太部材に床板が載せられて、この床板による床面が形成される。
【０００８】
また、請求項２に記載の発明に係る床材は、請求項１に記載の床材において、前記位置決め部材は、前記基礎床面に固定される固定部を備える。
【０００９】
また、請求項３に記載の発明に係る床材は、請求項２に記載の床材において、前記固定部は、隣合う前記根太固定部の間に設けられる。
【００１０】
また、請求項４に記載の発明に係る床材は、請求項１ないし３のいずれか１項に記載の床材において、前記位置決め部材は、その位置決め部材を長手方向に順次連結するための連結部を備える。こうして、連結部により位置決め部材が連結されることで、位置決め部材が長手方向に連続し、全体の長さを長くすることができ、根太部材を多数並べることができる。
【００１１】
また、請求項５に記載の発明に係る床材は、請求項１ないし４のいずれか１項に記載の床材において、前記位置決め部材および前記根太部材は、それぞれ長手方向において上下の向きに撓む可撓性を有する。これにより、基礎床面に不陸がある場合であっても、位置決め部材や根太部材をその不陸に追従させることができる。
【００１２】
また、請求項６に記載の発明に係る床材は、請求項１ないし５のいずれか１項に記載の床材において、前記基礎床面と、前記根太固定部および前記根太部材との間には、前記基礎床面へ接着するための接着用テープを貼付け可能な隙間が設けられる。
【００１３】
また、請求項７に記載の発明に係る床材は、請求項１ないし６のいずれか１項に記載の床材において、前記位置決め部材と前記根太部材と前記床板とに加えて、前記基礎床面に載置される第２の位置決め部材と、その第２の位置決め部材に固定される長尺の第２の根太部材と、その第２の根太部材に支持される第２の床板とを備える。ここで、前記第２の位置決め部材は、前記根太部材の端部が固定される第１根太固定部と、前記第２の根太部材が前記根太部材に対して直角となるように位置決められて固定される第２根太固定部とを備える。こうして、第２の位置決め部材を設けることで、根太部材に直角となるように第２の根太部材を配置することができ、床材の構成の自由度を高めることができる。
【発明の効果】
【００１４】
この発明に係る床材によれば、床板を支持する根太部材は、位置決め部材の根太固定部に位置決めされることで、自ずと所定のピッチで配置されるため、この床材の施工を容易に行うことができる。
【発明を実施するための最良の形態】
【００１５】
以下、この発明に係る床材を実施するための最良の形態を図面に基づいて説明する。
【００１６】
図１〜図１８は、本発明の第一の実施の形態を示す。図中符号１は、建造物（すなわち、建築物とか構築物）の基礎床面である。２は、前記基礎床面１上に配備される床材であって、特に、基礎床面１上に配線空間を確保するための床材、つまり配線用床材である。３は、前記床材２を構成し、前記基礎床面１に載置される長尺の位置決め部材である。４は、前記床材２を構成し、前記位置決め部材３に直交して固定される長尺の根太部材である。５は、前記床材２を構成し、前記根太部材４に支持される床板である。すなわち、床材２は、前記位置決め部材３と前記根太部材４と前記床板５とを備える。
【００１７】
ここで、位置決め部材３は、基礎床面１上で、床板５を支持する根太部材４を位置決めするものである。この位置決め部材３は、根太部材４、４を所定のピッチで配置すべく、長手方向に前記ピッチの間隔で並び根太部材４、４が前記間隔の位置に位置決められて固定される複数の根太固定部３ａ、３ａを備える。そして、位置決め部材３は、基礎床面１に固定される固定部３ｂを備える。この固定部３ｂは、隣合う根太固定部３ａ、３ａの間に設けられる。また、位置決め部材３は、その位置決め部材３を長手方向に順次連結するための連結部３ｃを備える。
【００１８】
具体的には、位置決め部材３は、配線用床材（床材２）に用いられる根太部材４用位置決め部材であって、合成樹脂により一体に形成されている。この位置決め部材３は、前記根太固定部３ａと前記固定部３ｂとが交互に並び、それら根太固定部３ａと固定部３ｂとが繋ぎ部３ｄによって繋がることで長手方向に連続するように形成される。そして、位置決め部材３の各端部に、前記連結部３ｃが設けられる。
【００１９】
根太固定部３ａは、底板Ｋ１と、その底板Ｋ１の側端から起立する一対の支持片Ｋ２、Ｋ２とから構成される。詳細には、底板Ｋ１は、略長方形形状をしているが、その各側端が、コ字状に切り欠かれて形成されている。そして、支持片Ｋ２は、底板Ｋ１の側端に沿うコ字状の断面形状を有して上方に起立しており、中間に位置する中間片Ｋ３と、両側に位置して対向する対向片Ｋ４、Ｋ４とからなる。そして、対向片Ｋ４には、互いに対向する側に、係合部としての係合爪Ｋ５が形成されている。
【００２０】
固定部３ｂは、円形盤状に形成され、内部は、下方に開口して、接着剤が充填される充填空間Ｌ１となっている。そして、固定部３ｂの上面中央には、表裏を貫通して充填空間Ｌ１に通ずる接着剤充填口Ｌ２が明けられている。そこで、位置決め部材３を基礎床面１に固定するには、位置決め部材３を基礎床面１に載置した後に、接着剤を、接着剤充填口Ｌ２を通して充填空間Ｌ１に充填する。これにより、固定部３ｂと基礎床面１とが接着剤によって接着されて、位置決め部材３は、基礎床面１に固定される。
【００２１】
繋ぎ部３ｄは、基礎床面１に面する板形状（詳しくは、平板形状）をしている。そして、繋ぎ部３ｄは、固定部３ｂ側とは、その下端部と繋がり、根太固定部３ａ側とは、底板Ｋ１と繋がっている。詳細には、繋ぎ部３ｄと固定部３ｂとは、底面が面一となって繋がり、繋ぎ部３ｄと根太固定部３ａとは、繋ぎ部３ｄに対して底板Ｋ１が若干上に位置するように段差を有して繋がっている。そして、この段差によって、基礎床面１と根太固定部３ａとの間、さらには、基礎床面１と、根太固定部３ａに固定される根太部材４との間には、基礎床面１へ接着するための接着用テープを貼付け可能な隙間が形成される。これによって、位置決め部材３を、固定部３ｂだけでなく、接着用テープによっても、基礎床面１に固定することができる。そして、根太部材４を、位置決め部材３を介すだけでなく、接着用テープによって直接、基礎床面１に固定することができる。なお、図中符号Ｌ３は、固定部３ｂにおいて、接着剤充填口Ｌ２とは別に明けられた孔である。また、Ｌ４は、固定部３ｂの裏面から充填空間Ｌ１内に突出する突出部であって、前記孔Ｌ３の一部と対向するように設けられる。
【００２２】
連結部３ｃは、基礎床面１に面する板形状をしている。詳細には、一方の連結部３０１（３ｃ）は、平板形状をして、その上面には、係合突起３ｅが設けられる。そして、他方の連結部３０２（３ｃ）は、基端部分に対して先端部分が若干上に位置するように段状に形成されており、その先端部分には、係合孔３ｆが設けられる。そこで、複数の位置決め部材３、３が長手方向に並べられた際には、隣り合う位置決め部材３、３は、一方の連結部３０１が下に、他方の連結部３０２の先端部分が上になって重なり、係合突起３ｅと係合孔３ｆとが嵌まり合って係合する。こうして、隣り合う位置決め部材３、３は、これら連結部３０１、３０２（３ｃ）部分が係合して連結される。
【００２３】
そして、このような構成の位置決め部材３は、繋ぎ部３ｄ（詳しくは、繋ぎ部３ｄおよび連結部３ｃ）が基礎床面１に面する板形状をしていることから、その繋ぎ部３ｄ（詳しくは、繋ぎ部３ｄおよび連結部３ｃ）が容易に湾曲することができ、これにより、位置決め部材３は、その長手方向において上下の向きに撓む可撓性を有する。
【００２４】
根太部材４は、配線用床材（床材２）に用いられるものであって、例えば合成樹脂製である。この根太部材４は、頂壁Ｍ１と側壁Ｍ２、Ｍ２とで断面逆Ｕ字状に形成されている。そして、頂壁Ｍ１の上面には、中央に長手方向に延びる突条Ｍ３が形成されている。そこで、頂壁Ｍ１の上面には、突条Ｍ３を挟む各側に、床板５の端部部分が載せられる。また、この突条Ｍ３は、長手方向の適宜位置（図示実施の形態においては、後述する嵌合凹部Ｍ７と対応する位置）が、切欠きＭ４によって分断されている。
【００２５】
また、根太部材４は、側壁Ｍ２の外面に、その下部に長手方向に延びるようにして被係合部としての被係合爪Ｍ５が形成され、さらに、側壁Ｍ２の内面には、その下端から内方に向かって突設されて長手方向に延びる突部Ｍ６が形成されている。また、根太部材４には、長手方向の適宜位置に、下方に開口する嵌合凹部Ｍ７が設けられている。この嵌合凹部Ｍ７は、両側壁Ｍ２、Ｍ２を下から方形に切り欠くようにして形成される。そこで、根太部材４と位置決め部材３とを組み付けるにあたっては、この嵌合凹部Ｍ７と、位置決め部材３における根太固定部３ａとが嵌合する。詳細には、嵌合凹部Ｍ７内に、根太固定部３ａの一対の支持片Ｋ２、Ｋ２における中間片Ｋ３、Ｋ３がぴったりと嵌まり、嵌合凹部Ｍ７周縁に位置する側壁Ｍ２の外面が、支持片Ｋ２における対向片Ｋ４の内面と向かい合い、側壁Ｍ２に設けられた被係合爪Ｍ５と対向片Ｋ４に設けられた係合爪Ｋ５とが係合する。こうして、根太部材４は、位置決め部材３における根太固定部３ａの位置に位置決められて固定される。
【００２６】
そして、このような構成の根太部材４は、側壁Ｍ２に嵌合凹部Ｍ７が設けられ、その嵌合凹部Ｍ７と対応する位置において、突条Ｍ３に切欠きＭ４が設けられていることから、根太部材４の、嵌合凹部Ｍ７や切欠きＭ４が設けられた部分が容易に湾曲することができ、これにより、根太部材４は、その長手方向において上下の向きに撓む可撓性を有する。なお、図示実施の形態においては、嵌合凹部Ｍ７は、根太部材４の長手方向の複数の位置（詳しくは、四箇所）に設けられ、位置決め部材３は、この内の一部の（詳しくは、両端寄りの二箇所）の嵌合凹部Ｍ７と嵌合するように配置される（図１参照）。そこで、残り（詳しくは、中央寄りの二箇所）の嵌合凹部Ｍ７は、根太部材４を挟む両側に連通する通孔Ｍ８となる。
【００２７】
床板５は、合板等の木製、合成樹脂製、あるいは金属製等であって、方形平板状に形成されている。そして、この床板５は、隣合う根太部材４、４に掛け渡されるようにして載置される。図示実施の形態においては、床板５は、根太部材４における嵌合凹部Ｍ７、Ｍ７間の間隔の二倍の長さを有して、そのままの長さで、あるいは適宜長さに切断されて用いられる。この床板５は、根太部材４の長手方向において、その中間位置では、そのままの長さで、床板５の端部が嵌合凹部Ｍ７の位置に位置するように載置される。そして、根太部材４の両端側では、切断されて短く形成された床板５、５が、中間位置の床板５と並んで載置される。これにより、床板５、５は、根太部材４の長手方向における合わせ目５ａが、嵌合凹部Ｍ７の位置に位置する。一般的には、床板５の長さは、根太部材４における嵌合凹部Ｍ７、Ｍ７間の間隔（つまり、嵌合凹部Ｍ７、Ｍ７のピッチ）の整数倍であって、これによって、床板５、５の前記合わせ目５ａ（つまり、端部）を、嵌合凹部Ｍ７の位置に位置させることができる。
【００２８】
次に、以上の構成からなる床材２の作用効果について説明する。この床材２によると、基礎床面１に載置される位置決め部材３が、根太部材４が配置されるピッチの間隔で並ぶ根太固定部３ａ、３ａを備えている。したがって、根太部材４は、この根太固定部３ａに位置決めされることで、自ずと所定のピッチで配置される。そして、根太部材４、４に床板５、５が載せられて、この床板５、５による床面が形成される。そこで、この床材２にあっては、基礎床面１と床板５、５との間の根太部材４、４間が、電線等の配線材の配線通路６となる。また、根太部材４は、一部の嵌合凹部Ｍ７が通孔Ｍ８となって、基礎床面１上に配線される配線材を、この通孔Ｍ８を通すことで、根太部材４を挟む各側の配線通路６、６間で行き来させることができる。
【００２９】
このように、この床材２によると、床板５を支持する根太部材４が、位置決め部材３の根太固定部３ａに位置決めされることで、自ずと所定のピッチで配置され、このため、この床材２の施工を容易に行うことができる。また、位置決め部材３、３は、連結部３ｃにより連結されることで、位置決め部材３、３が長手方向に連続し、全体の長さを長くすることができる。これにより、位置決め部材３、３の長手方向に、根太部材４、４を多数並べることができる。
【００３０】
また、位置決め部材３や根太部材４は、上下の向きに撓む可撓性を有している。したがって、基礎床面１に不陸がある場合であっても、位置決め部材３や根太部材４をその不陸に追従させることができ、基礎床面１上でのそれら位置決め部材３や根太部材４のがたつきを抑えることができる。ここで、根太部材４の可撓性は、特に嵌合凹部Ｍ７によって生じ、この嵌合凹部Ｍ７の位置に、床板５、５の、根太部材４の長手方向における合わせ目５ａが位置する。このことから、根太部材４、４に床板５、５が載置された状態であっても、基礎床面１の不陸に十分に対応することができる。
【００３１】
また、位置決め部材３において、固定部３ｂは、隣合う根太固定部３ａ、３ａの間に設けられている。すなわち、固定部３ｂは、根太固定部３ａとは別の位置に設けられている。これにより、位置決め部材３と根太部材４とを組み付けた後においても、位置決め部材３を基礎床面１に固定することができる。
【００３２】
図１９〜図３１は、本発明の第二の実施の形態を示す。この実施の形態の床材７は、第一の実施の形態と比較すると、第２の位置決め部材８、第２の根太部材９および第２の床板１０が追加されているが、他はほぼ同様であり、以下に、同様の部位には同一の符号を付して異なる部分を主に説明する。
【００３３】
床材７は、第一の実施の形態と同様の位置決め部材３と根太部材４と床板５とに加えて、基礎床面１に載置される第２の位置決め部材８と、その第２の位置決め部材８に固定される長尺の第２の根太部材９と、その第２の根太部材９に支持される第２の床板１０とを備える。ここで、位置決め部材３と根太部材４と床板５とは、第一の実施の形態と同様に組み付けられる。ただし、根太部材４は、第一の実施の形態のものと比べると、長手方向の一方の側に若干長く形成されている。そして、位置決め部材３は、根太部材４における前記一方の側とは反対の他方の側の嵌合凹部Ｍ７および、その嵌合凹部Ｍ７から一つ飛んだ中央寄りの嵌合凹部Ｍ７と嵌合するように配置される（図１９、図２０参照）。
【００３４】
第２の位置決め部材８は、基礎床面１上で、床板５、１０を支持する根太部材４、９を位置決めするものである。この第２の位置決め部材８は、前記根太部材４の端部が固定される第１根太固定部８ａと、前記第２の根太部材９が前記根太部材４に対して直角となるように位置決められて固定される第２根太固定部８ｂとを備える。さらに、第２の位置決め部材８は、基礎床面１に固定される第２の固定部８ｃを備える。
【００３５】
具体的には、第２の位置決め部材８は、配線用床材（床材７）に用いられる根太部材４、９用位置決め部材であって、合成樹脂により一体に形成されている。この第２の位置決め部材８は、略Ｈ字状に形成されて、両側の第１延設部８ｄ、８ｄと、それら第１延設部８ｄ、８ｄを繋ぐ第２延設部８ｅとから構成されている。ここで、第２の位置決め部材８は、第１延設部８ｄが前記根太部材４とは直角となり、第２延設部８ｅが前記根太部材４とは平行となるようにして、前記根太部材４における長手方向の一方の側に配置される。
【００３６】
第１延設部８ｄは、その長手方向に第１ブロック８ｆと第２ブロック８ｇとが間隔を空けて交互に並び、それらの下部が平板状の繋ぎ片８ｈにより繋がっている。第１ブロック８ｆは、前記第１根太固定部８ａと、前記第２の床板１０が載せられる載置部８ｉとが、第１延設部８ｄの幅方向に並んで形成される。第１根太固定部８ａは、位置決め部材３における根太固定部３ａの一対の対向片Ｋ４、Ｋ４と同様の、一対の対向片Ｋ４、Ｋ４からなり、前記載置部８ｉから側方に延出して形成される。載置部８ｉは、第１延設部８ｄの長手方向に長手となる直方体形状をして中空に形成されている。第２ブロック８ｇは、床板５と第２の床板１０とが載置される載置部８ｊからなり、その上面には、床板５と第２の床板１０とを区切るように、突片８ｋが設けられている。そこで、根太部材４とこの第２の位置決め部材８とを組み付けるにあたっては、根太部材４の端部に位置する側壁Ｍ２の外面が、第２の位置決め部材８の第１根太固定部８ａにおける対向片Ｋ４の内面と向かい合い、側壁Ｍ２に設けられた被係合部としての被係合爪Ｍ５と対向片Ｋ４に設けられた係合部としての係合爪Ｋ５とが係合する。こうして、根太部材４は、第２の位置決め部材８における第１根太固定部８ａに固定される。
【００３７】
第２延設部８ｅは、前記第２根太固定部８ｂと前記第２の固定部８ｃとが、第２の繋ぎ部８ｍにより繋がって、第２延設部８ｅの長手方向に並んで形成される。ここで、第２根太固定部８ｂと第２の固定部８ｃと第２の繋ぎ部８ｍは、それぞれ、位置決め部材３の、根太固定部３ａと固定部３ｂと繋ぎ部３ｄと同じ構造である。そして、図示実施の形態においては、第２根太固定部８ｂが中央に配置され、第２の固定部８ｃ、８ｃが、第２根太固定部８ｂの両側に配置される。そして、第２延設部８ｅには、各端部分に、第１延設部８ｄ（詳しくは、第１ブロック８ｆにおける載置部８ｉ）に繋がる他の繋ぎ部８ｎを有している。
【００３８】
そして、この第２の位置決め部材８においても、基礎床面１と、第２根太固定部８ｂおよび第２の根太部材９との間に、基礎床面１へ接着するため接着用テープを貼付け可能な隙間が設けられる。さらに、第２の位置決め部材８は、基礎床面１と第１延設部８ｄとの間にも、基礎床面１へ接着するため接着用テープを貼付け可能な隙間が設けられる。これによって、第２の位置決め部材８を、第２の固定部８ｃだけでなく、接着用テープによっても、基礎床面１に固定することができる。そして、第２の根太部材９を、第２の位置決め部材８を介すだけでなく、接着用テープによって直接、基礎床面１に固定することができる。
【００３９】
さらに、このような構造の第２の位置決め部材８は、繋ぎ片８ｈや第２の繋ぎ部８ｍそして他の繋ぎ部８ｎが基礎床面１に面する板形状をしており、このことから、それら繋ぎ片８ｈや繋ぎ部８ｍ、８ｎが容易に湾曲することができ、これにより、第２の位置決め部材８は、その第１延設部８ｄおよび第２延設部８ｅの長手方向において上下の向きに撓む可撓性を有する。
【００４０】
第２の根太部材９は、この実施の形態における根太部材４と同一のものがそのまま用いられる。すなわち、第２の根太部材９は、第一の実施の形態おける根太部材４とは長さは異なるが、同一の構造を有している。そこで、第２の根太部材９と第２の位置決め部材８とを組み付けるにあたっては、第２の根太部材９の嵌合凹部Ｍ７と、第２の位置決め部材８における第２根太固定部８ｂとが嵌合する。詳細には、嵌合凹部Ｍ７内に、第２根太固定部８ｂの一対の支持片Ｋ２、Ｋ２における中間片Ｋ３、Ｋ３がぴったりと嵌まり、嵌合凹部Ｍ７周縁に位置する側壁Ｍ２の外面が、支持片Ｋ２における対向片Ｋ４の内面と向かい合い、側壁Ｍ２に設けられた被係合部としての被係合爪Ｍ５と対向片Ｋ４に設けられた係合部としての係合爪Ｋ５とが係合する。こうして、第２の根太部材９は、第２の位置決め部材８における第２根太固定部８ｂの位置に位置決められて固定される。そして、この第２の根太部材９と根太部材４とは、第一の実施の形態における根太部材４と同様に、その長手方向において上下の向きに撓む可撓性を有する。
【００４１】
第２の床板１０は、この実施の形態における床板５と同一のものがそのまま用いられる。すなわち、第２の床板１０は、第一の実施の形態おける床板５と、同一の形状、同一の材料からなり、そのままの長さで、あるいは適宜長さに切断されて用いられる。そして、この第２の床板１０は、第２の位置決め部材８における載置部８ｉ、８ｊと第２の根太部材９とに掛け渡されるようにして載置される。
【００４２】
この第二の実施の形態に示す床材７の作用効果は、第一の実施の形態に示す床材２の作用効果に加えて、次の作用効果を奏する。この床材７にあっては、第２の位置決め部材８を設けることで、根太部材４に直角となるように第２の根太部材９を配置することができ、床材７の構成の自由度を高めることができる。
【００４３】
そして、この床材７は、基礎床面１と床板５との間の根太部材４、４間が、電線等の配線材の配線通路６となるだけでなく、基礎床面１と第２の床板１０との間の、第２の根太部材９の両側、つまり第２の根太部材９と第２の位置決め部材８における第１延設部８ｄとの間が、電線等の配線材の配線通路１１となる。そして、これら配線通路６、１１は、第１延設部８ｄの第１ブロック８ｆと第２ブロック８ｇとの間の連通路１２で連通しており、この連通路１２を通すことで、配線材を、両配線通路６、１１間で行き来させることができる（図２０、図２９参照）。
【００４４】
また、位置決め部材３や根太部材４に加えて、第２の位置決め部材８や第２の根太部材９は、上下の向きに撓む可撓性を有している。したがって、基礎床面１に不陸がある場合であっても、位置決め部材３や根太部材４、そして第２の位置決め部材８や第２の根太部材９を、その不陸に追従させることができる。したがって、基礎床面１上でのそれら位置決め部材３や根太部材４、そして第２の位置決め部材８や第２の根太部材９のがたつきを抑えることができる。ここで、第一の実施の形態と同様に、根太部材４とか第２の根太部材９の可撓性は、特に嵌合凹部Ｍ７によって生じ、この嵌合凹部Ｍ７の位置に、床板５、５とか第２の床板１０、１０の、根太部材４とか第２の根太部材９の長手方向における合わせ目５ａ、１０ａが位置する。すなわち、床板５とか第２の床板１０の長さは、根太部材４とか第２の根太部材９における嵌合凹部Ｍ７、Ｍ７間の間隔（つまり、嵌合凹部Ｍ７、Ｍ７のピッチ）の整数倍（図示実施の形態においては、２倍）であって、これによって、床板５、５とか第２の床板１０、１０の前記合わせ目５ａ、１０ａ（つまり、端部）を、嵌合凹部Ｍ７の位置に位置させることができる。このことから、根太部材４、４とか第２の根太部材９、９に床板５、５とか第２の床板１０、１０が載置された状態であっても、基礎床面１の不陸に十分に対応することができる。
【００４５】
また、位置決め部材３において、固定部３ｂは、隣合う根太固定部３ａ、３ａの間に設けられ、第２の位置決め部材８において、第２の固定部８ｃは、第２根太固定部８ｂを挟む各側に配置されている。すなわち、固定部３ｂは、根太固定部３ａとは別の位置に設けられ、第２の固定部８ｃは、第１および第２根太固定部８ａ、８ｂとは別の位置に設けられている。これにより、位置決め部材３および第２の位置決め部材８と根太部材４および第２の根太部材９とを組み付けた後においても、位置決め部材３および第２の位置決め部材８を基礎床面１に固定することができる。
【００４６】
なお、本発明は、上述した実施の形態に限定されるわけではなく、その他種々の変更が可能である。例えば、位置決め部材３や第２の位置決め部材８を基礎床面１に固定するにあたっては、位置決め部材３や第２の位置決め部材８は、固定部３ｂや第２の固定部８ｃが基礎床面１に接着剤によって接着されたり、接着用テープによって接着されることで固定されるが、接着に限らず、ビスやくぎ等の固着具を用いて基礎床面１に固定されてもよい。また、必要なければ、位置決め部材３や第２の位置決め部材８には、固定部３ｂや第２の固定部８ｃを設けなくともよい。
【００４７】
また、第一の実施の形態において、基礎床面１上に、位置決め部材３と根太部材４とを順に配置し、その配置する過程で、位置決め部材３と根太部材４とを組み付けなくとも、位置決め部材３と根太部材４とを予め組み付けておき、それらを一体として基礎床面１上に配置しても構わない。同様に、第二の実施の形態においても、位置決め部材３と根太部材４と第２の位置決め部材８と第２の根太部材９とを予め組み付けておき、それらを一体として基礎床面１上に配置しても構わない。
【図面の簡単な説明】
【００４８】
【図１】この発明の第一の実施の形態の、床板配置途中の床材を示す斜視図である。
【図２】同じく、位置決め部材の斜め上からの斜視図である。
【図３】同じく、位置決め部材の斜め下からの斜視図である。
【図４】同じく、位置決め部材の正面図である（背面図は、正面図と対称に表れる。）。
【図５】同じく、位置決め部材の平面図である。
【図６】同じく、位置決め部材の底面図である。
【図７】同じく、位置決め部材の拡大右側面図である。
【図８】同じく、位置決め部材の拡大左側面図である。
【図９】同じく、図５におけるＡ−Ａ線による断面図である。
【図１０】同じく、根太部材の斜視図である。
【図１１】同じく、根太部材の正面図である（背面図は、正面図と同一に表れる。）。
【図１２】同じく、根太部材の平面図である。
【図１３】同じく、根太部材の底面図である。
【図１４】同じく、根太部材の拡大右側面図である（左側面図は、右側面図と同一に表れる。）。
【図１５】同じく、図１１の要部拡大図である。
【図１６】同じく、根太部材と位置決め部との組み付け状態を示す平面図である。
【図１７】同じく、図１６におけるＢ−Ｂ線による拡大断面図である。
【図１８】同じく、図１６におけるＣ−Ｃ線による拡大断面図である。
【図１９】この発明の第二の実施の形態の、位置決め部材と第２の位置決め部材と根太部材とを配置した状態を示す斜視図である。
【図２０】同じく、床板および第２の床板配置途中の床材を示す斜視図である。
【図２１】同じく、第２の位置決め部材の上からの斜視図である。
【図２２】同じく、第２の位置決め部材の下からの斜視図である。
【図２３】同じく、第２の位置決め部材の正面図である。
【図２４】同じく、第２の位置決め部材の平面図である。
【図２５】同じく、第２の位置決め部材の底面図である。
【図２６】同じく、第２の位置決め部材の背面図である。
【図２７】同じく、第２の位置決め部材の右側面図である（左側面図は、右側面図と対称に表れる）。
【図２８】同じく、図２４におけるＤ−Ｄ線による断面図である。
【図２９】同じく、根太部材および第２の根太部材と、第２の位置決め部との組み付け状態を示す平面図である。
【図３０】同じく、図２９におけるＥ−Ｅ線による拡大断面図である。
【図３１】同じく、図２９におけるＦ−Ｆ線による拡大断面図である。
【符号の説明】
【００４９】
１  基礎床面
２  床材
３  位置決め部材
３ａ  根太固定部
３ｂ  固定部
３ｃ  連結部
４  根太部材
５  床板
７  床材
８  第２の位置決め部材
８ａ  第１根太固定部
８ｂ  第２根太固定部
９  第２の根太部材
１０  第２の床板
【図１】
2009287288.tif 000003
【図２】
2009287288.tif 000004
【図３】
2009287288.tif 000005
【図４】
2009287288.tif 000006
【図５】
2009287288.tif 000007
【図６】
2009287288.tif 000008
【図７】
2009287288.tif 000009
【図８】
2009287288.tif 000010
【図９】
2009287288.tif 000011
【図１０】
2009287288.tif 000012
【図１１】
2009287288.tif 000013
【図１２】
2009287288.tif 000014
【図１３】
2009287288.tif 000015
【図１４】
2009287288.tif 000016
【図１５】
2009287288.tif 000017
【図１６】
2009287288.tif 000018
【図１７】
2009287288.tif 000019
【図１８】
2009287288.tif 000020
【図１９】
2009287288.tif 000021
【図２０】
2009287288.tif 000022
【図２１】
2009287288.tif 000023
【図２２】
2009287288.tif 000024
【図２３】
2009287288.tif 000025
【図２４】
2009287288.tif 000026
【図２５】
2009287288.tif 000027
【図２６】
2009287288.tif 000028
【図２７】
2009287288.tif 000029
【図２８】
2009287288.tif 000030
【図２９】
2009287288.tif 000031
【図３０】
2009287288.tif 000032
【図３１】
2009287288.tif 000033